(57)【要約】【課題】画像表示部を収納する筐体前面のデザインを容易に変更することができるディスプレイ収納筐体を得ること。【解決手段】この発明に係るディスプレイ収納筐体は、画像表示部を収納する筐体と、画像表示部の画像表示面と同形状に切り抜いた切抜き部を有する透明若しくは半透明の化粧パネルと、画像表示部の画像表示面と同形状に切り抜いた切抜き部を有する意匠シートと、切抜き部が画像表示面と一致するように、意匠シート及び化粧パネルの順で重ね合わせて、筐体の前面に意匠シート及び化粧パネルを着脱自在に固定する固定部材とを備えた。【選択図】図１
2009081678.tif 000002
【特許請求の範囲】
【請求項１】
画像表示部を収納する筐体と、
前記画像表示部の画像表示面と同形状に切り抜いた切抜き部を有する透明若しくは半透明の化粧パネルと、
前記画像表示部の画像表示面と同形状に切り抜いた切抜き部を有する意匠シートと、
前記切抜き部が前記画像表示面と一致するように、前記意匠シート及び前記化粧パネルの順で重ね合わせて、前記筐体の前面に前記意匠シート及び前記化粧パネルを着脱自在に固定する固定部材と
を備えたディスプレイ収納筐体。
【請求項２】
画像表示部を収納する筐体と、
前記画像表示部の画像表示面と同形状に切り抜いた切抜き部を有する透明若しくは半透明の化粧パネルと、
前記画像表示部の画像表示面と同形状に切り抜いた切抜き部を有する意匠シートと、
前記画像表示部の画像表示面と同形状に切り抜いた切抜き部を有する基体パネルと、
前記切抜き部が前記画像表示面と一致するように、前記基体パネル、前記意匠シート及び前記化粧パネルの順で重ね合わせて、前記筐体の前面に前記基体パネル、前記意匠シート及び前記化粧パネルを着脱自在に固定する固定部材と
を備えたディスプレイ収納筐体。
【請求項３】
前記固定部材は、前記筐体の前面部に設けたねじ穴部と、前記意匠シート及び前記パネルに設けた貫通穴を介して前記ねじ穴部に螺合する固定ねじとからなることを特徴とする請求項１または請求項２記載のディスプレイ収納筐体。
【請求項４】
前記筐体の背面の中央上部に取り付けたヒンジ部に一端が接続し、前記ヒンジ部が展開された状態で、他端が設置面に当接して前記筐体を支持するスタンドを備えたことを特徴とする請求項１から請求項３のうちのいずれか１項記載のディスプレイ収納筐体。
【請求項５】
前記筐体の下面及び前記スタンドの他端に滑り止め部材を備えたことを特徴とする請求項４記載のディスプレイ収納筐体。
【請求項６】
前記化粧パネルは、樹脂材料からなることを特徴とする請求項１から請求項５のうちのいずれか１項記載のディスプレイ収納筐体。
【発明の詳細な説明】
【技術分野】
【０００１】
この発明は、筐体前面のデザインを容易に変更できるディスプレイ収納筐体に関する。
【背景技術】
【０００２】
近年、企業の受付などにおいて、来訪者が内線電話の呼び出しを行う受付案内システムに、タッチセンサ機能を備えた液晶タッチパネルが利用されるようになっている。図７は、このようなタッチセンサ機能を備えた液晶タッチパネルを示した図である。この液晶タッチパネルは、画像表示部３を収納する筐体１及び筐体１を支えるスタンド７を備えたディスプレイ収納筐体から構成される。また、他のディスプレイ収納筐体として、画像表示部の画像表示面周辺を覆う額縁を設けた筐体に、前記画像表示部を背面より収納した後、アルミ板を背面よりねじ止めして蓋をするものがある（例えば、特許文献１参照）。
【０００３】
【特許文献１】特開２００４−１４０７７１号公報
【発明の開示】
【発明が解決しようとする課題】
【０００４】
従来のディスプレイ収納筐体は以上のように構成されており、図７に示したものでは、スタンド７の安定性が悪く、画像表示部３に強く触れた場合に、ディスプレイ収納筐体が倒れてしまうという課題があった。また、筐体１前面のデザインを変更したい場合には、筐体１全体を交換する必要があり手間とコストが掛かるという課題があった。また、特許文献１に記載のものも同様に、額縁部の色や柄などのデザインを変更したい場合や、傷や汚れ、経年劣化等により修復が必要となった場合に、額縁部を含む筐体全体を交換する必要があり手間とコストが掛かるという課題があった。また、筐体前部が金属で一体成形された場合には、ディスプレイ収納筐体全体が重くなるという課題があった。
【０００５】
この発明は上記のような課題を解決するためになされたもので、画像表示部を収納する筐体前面のデザインを容易に変更することができるディスプレイ収納筐体を得ることを目的とする。
【課題を解決するための手段】
【０００６】
この発明に係るディスプレイ収納筐体は、画像表示部を収納する筐体と、画像表示部の画像表示面と同形状に切り抜いた切抜き部を有する透明若しくは半透明の化粧パネルと、画像表示部の画像表示面と同形状に切り抜いた切抜き部を有する意匠シートと、切抜き部が画像表示面と一致するように、意匠シート及び化粧パネルの順で重ね合わせて、筐体の前面に意匠シート及び化粧パネルを着脱自在に固定する固定部材とを備えた。
【発明の効果】
【０００７】
この発明によれば、画像表示部を収納する筐体と、画像表示部の画像表示面と同形状に切り抜いた切抜き部を有する透明若しくは半透明の化粧パネルと、画像表示部の画像表示面と同形状に切り抜いた切抜き部を有する意匠シートと、切抜き部が画像表示面と一致するように、意匠シート及び化粧パネルの順で重ね合わせて、筐体の前面に意匠シート及び化粧パネルを着脱自在に固定する固定部材とを備えたので、筐体前面のデザインを容易に変更することができるディスプレイ収納筐体を得ることができる効果がある。
【発明を実施するための最良の形態】
【０００８】
以下、この発明を実施するための最良の形態について、添付の図面に従って説明する。
実施の形態１．
図１は、実施の形態１によるディスプレイ収納筐体の正面図であり、ディスプレイ収納筐体として、液晶タッチパネルを例に説明を行う。この実施の形態１によるディスプレイ収納筐体は、タッチセンサ機能を備えた画像表示部３、可聴音を空中へ放射するスピーカ６及びユーザがディスプレイ収納筐体の画像表示部３に近づいたことを感知する赤外線センサ等の人感センサ５を収納する筐体１と、透明若しくは半透明の樹脂製の化粧パネル２と、ユーザの好みのデザインが印刷された意匠シート９と、意匠シート９及び化粧パネル２の順で重ね合わせて、筐体１の前面に意匠シート９及び化粧パネル２を着脱自在に固定する固定ねじ４とを備えている。また、筐体１下面の２箇所には滑り止め部材であるクッションゴム８が取り付けられている。なお、人感センサ５がユーザを感知することにより、画像表示部３及びスピーカ６が待機状態から起動されユーザによる操作が可能となる。また、人感センサ５及びスピーカ６は、必ずしも筐体１に収納されていなくともよい。また、スピーカ６は、筐体１に収納されており、意匠シート９を介しては見えないため破線で図示している。
【０００９】
図２は、図１に示したディスプレイ収納筐体の右側面図である。この実施の形態１によるディスプレイ収納筐体は、筐体１の背面の中央上部に取り付けたヒンジ部１０に一端が接続し、ヒンジ部１０が展開された状態で、他端が設置面に当接して筐体１を支持するスタンド７を備える。また、筐体１の右側面上部及び左側面上部（図示せず）には、筐体１に収納されたスピーカ６から放射された可聴音を空中へ放射するためのスピーカ用穴１ｃが設けられており、可聴音が筐体１の両側面から聞こえるようになっている。また、筐体１の前面には、意匠シート９及び化粧パネル２が、固定ねじ４により着脱自在に固定される。なお、固定ねじ４は道具を使用せず手のみで簡単に着脱が可能なように、その頭部を大きくした“つまみねじ”が使用される。
【００１０】
図３は、図２に示すディスプレイ収納筐体の背面図である。スタンド７は、その一端が、ビス１１により図２に示したヒンジ部１０を介して筐体１の背面の中央上部に取り付けられている。このため、図２に示すように、ヒンジ部１０を展開して筐体１を支持した場合、設置安定性に優れ、画像表示部３に強く触れた場合にも倒れ難く構成されている。また、スタンド７のヒンジ部１０と係合した一端とは異なる他端には、ディスプレイ収納筐体の設置安定性をさらに向上させるためにバー７ａが取り付けられ、バー７ａの両端には滑り止め部材であるクッションゴム８が取り付けられている。なお、図示されていないが、筐体１の背面には、画像表示部３、人感センサ５及びスピーカ６用の外部接続端子やボリュームダイヤル等が設けられている。また、図４は、図３に示したディスプレイ収納筐体の展開図であり、筐体１の内部には、画像表示部３、人感センサ５及びスピーカ６が収納される。
【００１１】
図５は、図４に示したディスプレイ収納筐体の筐体１への化粧パネル２及び意匠シート９の取り付け説明図である。化粧パネル２には、画像表示部３の画像表示面３ａと同形状に切り抜かれた切抜き部２ｃ及び固定ねじ４を通す貫通穴２ａとが設けられている。また、意匠シート９は、化粧パネル２と同一の形状を有し、画像表示部３の画像表示面３ａと同形状に切り抜かれた切抜き部９ｃ、固定ねじ４を通す貫通穴９ａ及び人感センサ５用の穴９ｂが設けられている。そして、化粧パネル２の貫通穴２ａ及び意匠シート９の貫通穴９ａに固定ねじ４を通して筐体１前面のねじ穴部１ａに螺合することにより、意匠シート９及び化粧パネル２が、筐体１の前面に意匠シート９及び化粧パネル２の順で重ね合わせて着脱自在に固定される。なお、固定ねじ４及びねじ穴部１ａは固定部材を構成する。
【００１２】
また、筐体１のねじ穴部１ａ、意匠シート９の貫通穴９ａ及び化粧パネル２の貫通穴２ａは、筐体１の前面に意匠シート９及び化粧パネル２を固定ねじ４により固定した際に、意匠シート９の切抜き部９ｃ及び化粧パネル２の切抜き部２ｃが、画像表示面３ａに一致するように設けられている。なお、この実施の形態１では、人感センサ５として赤外線センサの使用を想定しているため、化粧パネル２には人感センサ５用の穴は設けられていない。また、意匠シート９に印刷されたデザインは、意匠シート９の前面を覆う透明若しくは半透明の化粧パネル２を通してユーザに認識される。
【００１３】
以上のように、実施の形態１によるディスプレイ収納筐体によれば、画像表示部３を収納する筐体１と、画像表示部３の画像表示面３ａと同形状に切り抜いた切抜き部２ｃを有する透明若しくは半透明の化粧パネル２と、画像表示部３の画像表示面３ａと同形状に切り抜いた切抜き部９ｃを有する意匠シート９と、切抜き部２ｃ及び９ｃが画像表示面３ａと一致するように、意匠シート９及び化粧パネル２の順で重ね合わせて、筐体１の前面に意匠シート９及び化粧パネル２を着脱自在に固定する固定ねじ４とを備えたので、ディスプレイ収納筐体の前面デザインを容易に変更することができるという効果がある。また、該変更に掛かる時間とコストを削減できるという効果がある。また、化粧パネル２の傷や汚れ、経年劣化等により修復が必要となっても、化粧パネル２を交換するだけで容易に修復できるという効果がある。また、その場合においても意匠シート９はそのまま使用できるのでコストを抑えることができるという効果がある。また、化粧パネル２を樹脂製としたので、ディスプレイ収納筐体全体の重量を抑えることができるという効果がある。
【００１４】
また、筐体１の前面に固定ねじ４と螺合するねじ穴部１ａを設けたので、固定ねじ４をディスプレイ収納筐体の前面から着脱して、筐体１内部に収納される画像表示部３、人感センサ５及びスピーカ６に簡単にアクセスすることができ、画像表示部３、人感センサ５及びスピーカ６の取り付けや、取り外しに掛かる時間を短縮することができるという効果がある。また、スタンド７は、筐体１の背面の中央上部にヒンジ部１０を介して取り付けられているので、画像表示部３に強く触れた場合でも安定性に優れ倒れ難いという効果がある。また、すべり止め用のクッションゴム８を筐体１の底部及びスタンド７に設けたので、画像表示部３に強く触れた場合でもディスプレイ収納筐体の位置がずれにくいという効果がある。
【００１５】
また、図６に示すように、意匠シート９を化粧パネル２及び基体パネル１２で挟んだ後、固定ねじ４により筐体１の前面へ取り付けるようにしてもよい。このように構成すれば、意匠シート９を薄い紙等で構成した場合でも、意匠シート９を皺なく簡単に交換できるという効果がある。なお、この場合、意匠シート９と筐体１との間に挟まれる基体パネル１２については、透明若しくは半透明である必要がないため、人感センサ５に対応する位置に人感センサ５用の穴１２ｂを設ける必要がある。なお、固定ねじ４を通す貫通穴１２ａ及び画像表示部３の画像表示面３ａと同形状に切り抜かれた切抜き部１２ｃを設けた点及び基体パネル１２を筐体１の前面に固定した時に、切抜き部１２ｃが画像表示面３ａと一致するように構成されている点は化粧パネル２と同様である。
【００１６】
なお、実施の形態１では、ディスプレイ収納筐体として、液晶タッチパネルを例に説明したが、その他のディスプレイ、例えばタッチセンサ機能を有さない液晶ディスプレイ、プラズマディスプレイ、ＣＲＴ（ブラウン管）等に適用してもよい。また、化粧パネル２は透明若しくは半透明であればよく、ガラス製であってもよい。
【図面の簡単な説明】
【００１７】
【図１】実施の形態１によるディスプレイ収納筐体の正面図である。
【図２】実施の形態１によるディスプレイ収納筐体の右側面図である。
【図３】実施の形態１によるディスプレイ収納筐体の背面図である。
【図４】実施の形態１によるディスプレイ収納筐体の展開図である。
【図５】実施の形態１によるディスプレイ収納筐体の筐体への化粧パネル及び意匠シートの取り付け説明図である。
【図６】実施の形態２によるディスプレイ収納筐体の筐体への化粧パネル、意匠シート及び基体パネルの取り付け説明図である。
【図７】従来例によるディスプレイ収納筐体を示した斜視図である。
【符号の説明】
【００１８】
１  筐体、１ａ  ねじ穴部、１ｃ  スピーカ用穴、２  化粧パネル、２ａ  貫通穴、３  画像表示部、３ａ  画像表示面、４  固定ねじ、５  人感センサ、６  スピーカ、７  スタンド、７ａ  バー、８  クッションゴム、９  意匠シート、９ａ  貫通穴、９ｂ  穴、１０  ヒンジ部、１１  ビス、１２  基体パネル、１２ａ  貫通穴、１２ｂ  穴。
【図１】
2009081678.tif 000003
【図２】
2009081678.tif 000004
【図３】
2009081678.tif 000005
【図４】
2009081678.tif 000006
【図５】
2009081678.tif 000007
【図６】
2009081678.tif 000008
【図７】
2009081678.tif 000009